(57)【要約】【課題】安定した消去動作が可能な消去部材を備えた筆記具を提供する。【解決手段】筆記具１が、軸筒２と、軸筒２の一端に当該筆記具１による筆跡を消去する消去部材３とを具備し、消去部材３が、軸筒２に対して軸筒２の軸線方向に沿って摺動可能に取り付けられ、消去部材３側が下方に配置されるように軸筒２を傾斜させると、消去部材３の軸筒２内への摺動が規制される。筆記具１は、熱変色性インクを収容する熱変色性の筆記具であり、消去部材３が、擦過した際に生じる摩擦熱によって熱変色性インクの筆跡を熱変色可能なゴム弾性材料からなる。【選択図】図６
2015020282.tif 000002
【特許請求の範囲】
【請求項１】
軸筒と、軸筒の一端に当該筆記具による筆跡を消去する消去部材とを具備する筆記具であって、
前記消去部材が、前記軸筒に対して該軸筒の軸線方向に沿って摺動可能に取り付けられ、前記消去部材側が下方に配置されるように前記軸筒を傾斜させると、前記消去部材の前記軸筒内への摺動が規制されることを特徴とする筆記具。
【請求項２】
当該筆記具が熱変色性インクを収容する熱変色性の筆記具であり、前記消去部材が、擦過した際に生じる摩擦熱によって前記熱変色性インクの筆跡を熱変色可能なゴム弾性材料からなることを特徴とする請求項１に記載の筆記具。
【請求項３】
前記消去部材が前記軸筒内に突出する係止部を有し、前記軸筒内に、前記係止部と係止する被係止部が設けられ、前記消去部材の前記係止部と前記軸筒内の前記被係止部とが係止することによって、前記消去部材の摺動が規制されることを特徴とする請求項１又は２に記載の筆記具。
【請求項４】
前記係止部が、前記消去部材に対して揺動可能に取り付けられた可動ピンであり、前記被係止部が、前記軸筒の内面に形成された突起であり、前記消去部材側が下方に配置されるように前記軸筒を傾斜させると、前記可動ピンが重力によって揺動し、前記係止が行われることを特徴とする請求項３に記載の筆記具。
【請求項５】
貫通孔を有する環状のガイドリングをさらに具備し、該ガイドリングは、前記貫通孔に前記可動ピンを挿通しつつ該軸筒の軸線方向に沿って摺動可能に前記軸筒内に配置され、前記消去部材側が上方に配置されるように前記軸筒を傾斜させると、前記ガイドリングが重力によって摺動して前記可動ピンをガイドし、前記係止が阻止されることを特徴とする請求項４に記載の筆記具。
【請求項６】
前記消去部材を前記軸筒内に向かって押圧することによって、前記軸筒の他端から筆記部が突出又は没入することを特徴とする請求項１から５のいずれか１つに記載の筆記具。
【発明の詳細な説明】
【技術分野】
【０００１】
本発明は、消去部材を備えた筆記具、特に熱変色インクによる筆跡を擦過して消色する消去部材を備えた筆記具に関する。
【背景技術】
【０００２】
消しゴム付き鉛筆のように、筆記具によって紙面等に描かれた筆跡をその筆記具に備わる消去部材によって消去可能とする構成が周知である。特に、熱変色性インクを収容する熱変色性筆記具においては、消去部材として、筆跡を擦過し摩擦熱を生じさせる摩擦体を備えた構成が公知である（例えば、特許文献１及び特許文献２）。
【０００３】
特許文献１及び特許文献２に記載の熱変色性筆記具は、ノック体を有するノック式筆記具の形態であり、ノック体を前方に押圧することによって、ペン先が軸筒の先端から突出又は没入する。ノック体の後端部外面に、熱変色性インクの筆跡を擦過するための摩擦部が設けられている。
【０００４】
特許文献１では、ノック体が軸筒内に収容された弾発体によって後方へ付勢されていることによって、ノック体の摩擦部で筆跡を擦過する際に、ノック体の前方への移動が阻止され、安定した擦過動作を可能にしている。
【０００５】
特許文献２では、細長いノック体の外側面が擦過動作の際の把持部として形成され、把持部を持って擦過動作をすることによって、安定した擦過動作を可能にしている。
【先行技術文献】
【特許文献】
【０００６】
【特許文献１】特開２０１１−３７０８６号公報
【特許文献２】特開２０１２−９１４７２号公報
【発明の概要】
【発明が解決しようとする課題】
【０００７】
しかしながら、特許文献１に記載の熱変色性筆記具では、弾発体による付勢力よりも大きい力で擦過動作をすると、ノック体が擦過動作に応じて前後に移動してしまい、安定した擦過動作ができないという問題がある。
【０００８】
また、特許文献２に記載の熱変色性筆記具では、軸筒よりもさらに細いノック体に形成された把持部を把持しなければならないために把持し難く、従って、安定した擦過動作ができないという問題がある。
【０００９】
本発明は、安定した消去動作が可能な消去部材を備えた筆記具を提供することを目的とする。
【課題を解決するための手段】
【００１０】
請求項１に記載の発明によれば、軸筒と、軸筒の一端に当該筆記具による筆跡を消去する消去部材とを具備する筆記具であって、前記消去部材が、前記軸筒に対して該軸筒の軸線方向に沿って摺動可能に取り付けられ、前記消去部材側が下方に配置されるように前記軸筒を傾斜させると、前記消去部材の前記軸筒内への摺動が規制されることを特徴とする筆記具が提供される。
【００１１】
また、請求項２に記載の発明によれば請求項１に記載の発明において、当該筆記具が熱変色性インクを収容する熱変色性の筆記具であり、前記消去部材が、擦過した際に生じる摩擦熱によって前記熱変色性インクの筆跡を熱変色可能なゴム弾性材料からなることを特徴とする筆記具が提供される。
【００１２】
また、請求項３に記載の発明によれば請求項１又は２に記載の発明において、前記消去部材が前記軸筒内に突出する係止部を有し、前記軸筒内に、前記係止部と係止する被係止部が設けられ、前記消去部材の前記係止部と前記軸筒内の前記被係止部とが係止することによって、前記消去部材の摺動が規制されることを特徴とする筆記具が提供される。
【００１３】
また、請求項４に記載の発明によれば請求項３に記載の発明において、前記係止部が、前記消去部材に対して揺動可能に取り付けられた可動ピンであり、前記被係止部が、前記軸筒の内面に形成された突起であり、前記消去部材側が下方に配置されるように前記軸筒を傾斜させると、前記可動ピンが重力によって揺動し、前記係止が行われることを特徴とする筆記具が提供される。
【００１４】
また、請求項５に記載の発明によれば請求項４に記載の発明において、貫通孔を有する環状のガイドリングをさらに具備し、該ガイドリングは、前記貫通孔に前記可動ピンを挿通しつつ該軸筒の軸線方向に沿って摺動可能に前記軸筒内に配置され、前記消去部材側が上方に配置されるように前記軸筒を傾斜させると、前記ガイドリングが重力によって摺動して前記可動ピンをガイドし、前記係止が阻止されることを特徴とする筆記具が提供される。
【００１５】
また、請求項６に記載の発明によれば請求項１から５のいずれか１つに記載の発明において、前記消去部材を前記軸筒内に向かって押圧することによって、前記軸筒の他端から筆記部が突出又は没入することを特徴とする筆記具が提供される。
【発明の効果】
【００１６】
各請求項に記載の発明によれば、安定した消去動作が可能な消去部材を備えた筆記具を提供するという共通の効果を奏する。
【図面の簡単な説明】
【００１７】
【図１】本発明の実施形態による筆記具の非筆記状態の正面図である。
【図２】図１の筆記具の非筆記状態の縦断面図である。
【図３】図１の筆記具の非筆記状態の後端部における拡大縦断面図である。
【図４】図１の筆記具の筆記状態の縦断面図である。
【図５】図１の筆記具の非筆記状態の後端部における拡大縦断面図である。
【図６】図１の筆記具の消去状態の縦断面図である。
【図７】図１の筆記具の消去状態の後端部における拡大縦断面図である。
【発明を実施するための形態】
【００１８】
以下、図面を参照しながら本発明の実施の形態を詳細に説明する。全図面に渡り、対応する構成要素には共通の参照符号を付す。
【００１９】
図１は、本発明の実施形態による筆記具１の非筆記状態の正面図であり、図２は、図１の筆記具１の非筆記状態の縦断面図であり、図３は、図１の筆記具の非筆記状態の後端部における拡大縦断面図である。
【００２０】
筆記具１は、軸筒２と、筆記具１による筆跡を消去する消去部材３とを有している。軸筒２は、筒状の先軸４と、先軸４の後端部にその前端部が螺合する筒状の後軸５と、後軸５の後端部にその前端部が嵌合又は螺合する筒状の天冠（キャップ）６とを有している。先軸４の先端には、軸筒内２内に収容された筆記体であるリフィル７の筆記部７ａを突出させるための孔４ａが形成されている。
【００２１】
本明細書中では、筆記具１の軸線方向において、筆記部７ａ側を「前」側と規定し、筆記部７ａとは反対側を「後」側と規定する。また、筆記具１は、公知のノック機構８によって、軸筒２内でリフィル７が軸線方向に沿って前後方向に摺動する。このとき、筆記部７ａが軸筒２、すなわち先軸４の孔４ａから突出した状態を筆記状態（図４）と称し、筆記部７ａが軸筒内に没入した状態を非筆記状態（図２）と称す。
【００２２】
後軸５の後部の内面には、径方向内側に突出し且つ軸筒２の軸線方向に沿って延びる複数のカム部５ａが、周方向に沿って等間隔に形成されている。後軸５の後端部に嵌合又は螺合した天冠６の筒状の天冠本体６ａは、後軸５カム部５ａの部分よりも薄肉に形成されている。天冠６の後端面には、消去部材３が突出するための開口が形成されている。この開口は、径方向内側に環状に突出するように屈曲した天冠本体６ａの後端部である縁部６ｂによって画成される。カム部５ａの後端面には、環状の被係止部５ｂが形成されている。先軸４及び後軸５及び天冠６は、例えばポリカーボネート樹脂といった硬質の樹脂材料から形成される。
【００２３】
消去部材３は、ホルダ９を介して、軸筒２に対して軸筒２の軸線方向に沿って摺動可能に取り付けられている。すなわち、天冠（キャップ）の後端面に形成された上記開口より僅かばかり小さい外径を備えた円柱状のホルダ９の後端面に、ホルダ９と略同一径の円柱状の消去部材３が接着等によって取り付けられている。なお、消去部材３の形状は、特に限定されるものではなく、例えば、三角柱状、直方体、表面に凹凸や突起を有する複雑な形状としてもよい。
【００２４】
ホルダ９の前端部の外周面には、外方に突出するフランジ部９ａが形成されており、フランジ部９ａの外径は、天冠６の天冠本体６ａの内径よりも僅かばかり小さい。従って、天冠６内から後方に突出した消去部材３は、ホルダ９のフランジ部９ａが天冠６の縁部６ｂと係止することによって、軸筒２から抜けることなく天冠６の天冠本体６ａの部分を軸筒２の軸線方向に沿って摺動可能である。
【００２５】
さらに、ホルダ９の前端面には凹部９ｂが形成されている。凹部９ｂは、その入口開口は狭小に形成され、内部はより広く、例えば略球形状の内面を有するように形成されている。なお、ホルダ９を省略し、消去部材３が全体として、消去部材３及びホルダ９を一体とした形状となるように、消去部材３を形成してもよい。
【００２６】
ホルダ９には、係止部である可動ピン１０が揺動可能に取り付けられている。すなわち、可動ピン１０は、全体として棒状に形成されたピン本体１０ａを有している。ピン本体１０ａの一端には、ホルダ９の凹部９ｂと略相補的な球形状に形成され、凹部９ｂに嵌合する嵌合球部１０ｂが形成されている。また、ピン本体１０ａの他端は、丸められている。ホルダ９の凹部９ｂは、その入口開口が狭小であることから、可動ピン１０の嵌合球部１０ｂをホルダ９の凹部９ｂ内に強く押し込むことによって嵌合し、ホルダ９に対する可動ピン１０の取り付けが完成する。
【００２７】
可動ピン１０の嵌合球部１０ｂが、ホルダ９の凹部９ｂの内面に対して球面で当接することによって自在継手を構成し、可動ピン１０はホルダ９に対して様々な方向及び角度に揺動可能となっている。なお、ホルダ９の凹部９ｂ及びこれに相補的な可動ピン１０の嵌合球部１０ｂは、可動ピン１０がホルダ９に対して様々な角度に揺動可能である限り、任意の形状及び構成であってもよい。ホルダ９は、消去部材３と接合、接着可能な材料、例えばポリカーボネート樹脂といった硬質の樹脂材料から形成される。可動ピン１０は、例えばポリカーボネート樹脂といった樹脂材料又は金属材料から形成される。
【００２８】
可動ピン１０のピン本体１０ａ周囲には、環状のガイドリング１１が配設されている。ガイドリング１１は、天冠６の天冠本体６ａの内径よりも僅かばかり小さい外径を備えた円柱状の部材である。ガイドリング１１の中心軸線周りには、可動ピン１０が挿通する貫通孔１１ａが形成され、貫通孔１１ａは、後端に向かって内径が小さくなる円錐状の内周面１１ｂによって画成される。ガイドリング１１の貫通孔１１ａの後端側の開口の径は、ホルダ９の凹部９ｂの入口開口の径よりも大きく形成されている。また、ガイドリング１１の貫通孔１１ａの前端側の開口の径は、後軸５のカム部５ａの内径と略同一か又はそれよりも小さく形成されている。
【００２９】
ガイドリング１１は、貫通孔に可動ピン１０を挿通しつつ軸筒２の軸線方向に沿って摺動可能となっている。ガイドリング１１の前方向の摺動は、カム部５ａの後端面である被係止部５ｂによって規制され、後方向の摺動は、ホルダ９の前端面によって規制される。ガイドリング１１は、例えば金属材料から形成される。
【００３０】
リフィル７として、熱変色インクを収容したボールペン、熱変色芯を収容したシャープペンシル、鉛筆ホルダ等を使用することができる。
【００３１】
本実施形態におけるリフィル７は、熱変色性インクを収容する。熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。従って、描線が筆記された紙面等に対して摩擦体としての消去部材３によって擦過して摩擦熱を生じさせ、それによって描線を無色に変化、すなわち消去させる。なお、当然のことながら上記第２色は、無色以外の有色でもよい。
【００３２】
なお、本発明における「消去」とは、上記熱変色性インクを用いた場合以外にも、筆記した描線、文字等を消しゴム等の消去部材で吸着又は削ぎ落とすことをいう。従って、本発明は、筆記した描線を、消去部材を用いて消去する任意の筆記具にも適用可能である。
【００３３】
摩擦体としての消去部材３を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００３４】
図４は、図１の筆記具１の筆記状態の縦断面図であり、図５は、図１の筆記具１の非筆記状態の後端部における拡大縦断面図である。
【００３５】
ノック機構８は、リフィル７と共にスプリング１２によって後方へ付勢されている。また、ノック機構８は、回転子８ａを有している。後述するノック操作を行うと、ノック機構８が前方へ摺動し、それによって回転子８ａと後軸５のカム部５ａの前端面とが係止し、筆記具１は筆記状態（図２）を維持する。再びノック操作を行うと、回転子８ａと後軸５のカム部５ａの前端面との係止が解除され、スプリング１２の付勢力によってノック機構８が後方へ摺動し、筆記具１は非筆記状態（図４）となる。
【００３６】
ノック機構８と共にリフィル７を前方へ摺動させるノック操作は、筆記具１の非筆記状態において、消去部材３を軸筒２内に向かって押圧することによって行われる。消去部材３を押圧することによって、ホルダ９の前端面に取り付けられた可動ピン１０を介して、ノック機構８の後端面、すなわち回転子８ａの後端面が前方へ押圧され、ノック機構８が前方へ摺動する。すなわち、本実施形態では、消去部材３、又は、消去部材３及び可動ピン１０が、ノック機構８のノック棒として機能する。
【００３７】
このとき、消去部材３側が上方に配置されるように、軸筒２が傾斜しているか又は垂直な状態に保持されていることが好ましい。それによって、重力が筆記具１の前方向に作用するため、ガイドリング１１は、前方向に摺動すると共に後軸５の被係止部５ｂによって支持された状態となる。その結果、可動ピン１０は、ガイドリング１１に挿通されてガイドされ、先端周囲を貫通孔１１ａの後端側の開口に包囲されて揺動運動が規制されることから、確実にノック機構８の後端面、すなわち回転子８ａの後端面がと当接し、ノック操作を行うことができる。
【００３８】
ノック機構８と共にリフィル７を後方へ摺動させるノック操作は、筆記具１の筆記状態において、消去部材３を軸筒２内に向かって押圧することによって行われる。このとき、図５に示されるように可動ピン１０は、後軸５のカム部５ａに包囲されており、確実にノック機構８の後端面に当接させることができる。従って、ガイドリング１１の位置にかかわらず、すなわち筆記具１の姿勢にかかわらず、ノック操作を行うことができる。
【００３９】
図６は、図１の筆記具１の消去状態の縦断面図であり、図７は、図１の筆記具１の消去状態の後端部における拡大縦断面図である。
【００４０】
筆記具１による筆跡を消去する場合には、消去部材３側が下方に配置されるように、軸筒２を傾斜させるか又は垂直な状態に保持する。それによって、重力が筆記具１の後方向に作用するため、ガイドリング１１は、後方向に摺動すると共にホルダ９に当接した状態となる。その結果、可動ピン１０は、ガイドリング１１に深く挿通される、揺動運動は規制されない。すなわち、可動ピン１０の先端は、貫通孔１１ａの後端側の開口によって規制されず、ガイドリング１１の内周面１１ｂに沿って、重力の影響を受けて鉛直下方に向かって揺動する。その結果、消去動作によって、消去部材３は軸筒２内に向かって押圧されるが、可動ピン１０の先端と、後軸５の被係止部５ｂとが係止し、消去部材３の摺動が規制され、消去状態となる。それによって、消去部材３が動くことない、安定した消去動作が可能となる。
【００４１】
筆記具１の消去状態では、可動ピン１０の先端と後軸５の被係止部５ｂとが係止していることによって、ノック操作ができない。従って、ノック操作を行いたい場合には、消去部材３側が上方に配置されるように、軸筒２が傾斜させるか又は垂直な状態に保持する。それによって、ガイドリング１１が、重力によって前方向に摺動し、可動ピン１０の先端がノック機構８の後端面に当接するようにガイドされ、ノック操作が可能となる。
【００４２】
なお、筆記具１が筆記状態にあるか非筆記状態にあるかにかかわらず、消去状態になり得る。また、筆記具１は、ノック機構８は、軸筒の外周面にノック棒が設けられた構成であってもよい。さらに、本発明は、ノック式筆記具に限定されない。
【符号の説明】
【００４３】
１    筆記具
２    軸筒
３    消去部材
４    先軸
５    後軸
６    天冠
７    リフィル
８    ノック機構
９    ホルダ
１０    可動ピン
１１    ガイドリング
【図１】
2015020282.tif 000003
【図２】
2015020282.tif 000004
【図３】
2015020282.tif 000005
【図４】
2015020282.tif 000006
【図５】
2015020282.tif 000007
【図６】
2015020282.tif 000008
【図７】
2015020282.tif 000009